(57)【要約】      （修正有）【課題】従来の簡易ベッドと同等のメリットを持ちつつ、組立作業が容易な簡易ベッドを提供する。【解決手段】底部が閉塞された四角筒状の胴部と、胴部を構成する各側板の上端縁に折目線を介してそれぞれ連設されたフラップ４１、４２とを備える紙製の包装箱を縦横にそれぞれ複数並べた簡易ベッドであって、包装箱の対向する少なくとも一対のフラップには、胴部の内方に向って水平姿勢にしたときに、対向するフラップの外表面まで延びる延出部がそれぞれ設けられ、隣接する包装箱は、前記延出部が設けられているフラップの基端縁同士が直線状に並ぶように配置される。【選択図】図３
0003222272.tif 000002
【実用新案登録請求の範囲】
【請求項１】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の対向する少なくとも一対のフラップには、前記胴部の内方に向って水平姿勢にしたときに、対向するフラップの外表面まで延びる延出部がそれぞれ設けられ、
隣接する包装箱は、前記延出部が設けられているフラップの基端縁同士が直線状に並ぶように配置されることを特徴とする簡易ベッド。
【請求項２】
請求項１に記載の簡易ベッドにおいて、
前記延出部は、基端側の一方側縁が互いに突き合わされる位置に形成されるとともに、先端側に向かうにつれて前記一方側縁が他方側縁から離れる方向に幅広となる係止部を前記側縁側に有していることを特徴とする簡易ベッド。
【請求項３】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記胴部は、互いに対向する一対の第１側板と、該第１側板が対向する方向と交わる方向で互いに対向する一対の第２側板とによって形成され、
前記フラップは、前記第１側板の上縁に沿って折目線を介して連設された一対の第１フラップと、前記第２側板の上縁に沿って折目線を介して連設され前記胴部の内方に向って水平姿勢となるように折り曲げられた一対の第２フラップからなり、
各第１フラップには、その先端部に舌片が設けられ、
各第２フラップには、前記舌片を挿入してその周縁で係止する開口部が設けられ、
前記包装箱は、第１側板が順次背中合わせに並べられ、背中合わせになった一組の包装箱のうち一方の包装箱の第１フラップは、他方の包装箱の第２フラップの外側に重合されるとともに、一方の該第１フラップの舌片が他方の該第２フラップの開口部に挿入されることで連結されることを特徴とする簡易ベッド。
【請求項４】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の内部には、隣接する包装箱の背中合わせになった一対の前記フラップを、隣接する一方の包装箱における該フラップに連設された側板の内表面に折り重ねた状態で固定する固定部材が取り付けられ、
前記包装箱の上面には、複数の包装箱に亘って載置される平板状の上板が載置されていることを特徴とする簡易ベッド。
【請求項５】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の内部には、隣接する包装箱の背中合わせになった一対の前記フラップを、隣接する一方の包装箱における該フラップに連設された側板の内表面に折り重ねた状態で固定する固定部材が取り付けられ、
前記固定部材は、側板の内表面に折り重ねた前記一対のフラップ以外のフラップが各包装箱の内方に向かって水平方向に折り曲げられた状態で、該フラップの下面を支持する高さを有することを特徴とする簡易ベッド。
【考案の詳細な説明】
【技術分野】
【０００１】
本考案は、地震、津波、台風等の自然災害発生時の避難所等で使用される簡易ベッドに関する。
【背景技術】
【０００２】
従来、段ボール箱を縦横にそれぞれ複数並べて構成される簡易ベッドが知られている（例えば、特許文献１参照）。
【０００３】
特許文献１の簡易ベッドは、縦方向に６個、横方向に４個ずつ整列された合計２４個の段ボール箱と、この上に載せられた２枚の上板とから構成される。段ボール箱は、４個（２×２）ずつスリーブに収納されることで、使用者の重みによって並べられた所定の位置からずれないようにされている。
【先行技術文献】
【特許文献】
【０００４】
【特許文献１】意匠登録第１４４３２７７号
【考案の概要】
【考案が解決しようとする課題】
【０００５】
しかしながら、上記特許文献１の簡易ベッドでは、包装箱とスリーブとをそれぞれ折り曲げて粘着テープや接着剤で止めることで組み立てたうえで、さらに包装箱を４個ずつスリーブに収納していく必要があるため、組立作業が煩雑であるという不都合があった。
【０００６】
よって、本考案は、従来の簡易ベッドと同等のメリットを持ちつつ、組立作業が容易な簡易ベッドを提供することを目的とする。
【課題を解決するための手段】
【０００７】
かかる目的を達成するために、本考案の第１の簡易ベッドは、底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、前記包装箱の対向する少なくとも一対のフラップには、前記胴部の内方に向って水平姿勢にしたときに、対向するフラップの外表面まで延びる延出部がそれぞれ設けられ、前記包装箱は、前記延出部が設けられているフラップの側縁が隣り合うように並べられることを特徴とする。
【０００８】
第１の簡易ベッドでは、まず、複数の包装箱を、前記延出部が設けられているフラップの側縁が隣り合うように、つまりフラップの基端縁を直線状になるように一方方向に並べる。そして、隣接した包装箱の起立状態において背中合わせになった一組のフラップを、一方の包装箱の内方に各折目線で共に曲げ入れることができる。
【０００９】
次いで、延出部が設けられている一対のフラップを、前記胴部の内方に向って水平姿勢に折目線で折り曲げていくと、各延出部は、水平姿勢で対向するフラップの外表面まで延びる長さを有していることから、徐々に対向するフラップの外表面に乗り上げ、該フラップが水平姿勢になったときに該外表面にそれぞれ掛け渡される。
【００１０】
これにより、一対のフラップは、延出部によって互いに支え合うことになるため、上方からの荷重に対抗できる。また、このとき、隣接する包装箱は、背中合わせになった一組のフラップが一方の包装箱の内方に折り曲げられた状態で上部開口が閉塞されて連結されるので、並べられた所定の位置から誤って移動されることを防止することができる。
【００１１】
よって、本考案の簡易ベッドによれば、従来の簡易ベッドと同等のメリットを持ちつつ、各フラップを折り曲げるだけで連結させることができるため、組立作業を容易にすることができる。
【００１２】
本考案の第１の簡易ベッドにおいて、前記延出部は、基端側の一方側縁が互いに突き合わされる位置に形成されるとともに、先端側に向かうにつれて前記一方側縁が他方側縁から離れる方向に幅広となる係止部を前記側縁側に有していることが好ましい。
【００１３】
この構成を備える簡易ベッドによれば、延出部を弾性変形させて基端側の側縁同士を突き合わせて係止させることで、一対のフラップが離間する方向に力が働いたときに、係止部によって延出部を抜け止めすることができる。
【００１４】
また、本考案の第２の簡易ベッドは、底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、前記胴部は、互いに対向する一対の第１側板と、該第１側板が対向する方向と交わる方向で互いに対向する一対の第２側板とによって形成され、前記フラップは、前記第１側板の上縁に沿って折目線を介して連設された一対の第１フラップと、前記第２側板の上縁に沿って折目線を介して連設され前記胴部の内方に向って水平姿勢となるように折り曲げられた一対の第２フラップからなり、各第１フラップには、その先端部に舌片が設けられ、各第２フラップには、前記舌片を挿入してその周縁で係止する開口部が設けられ、前記包装箱は、第１側板が順次背中合わせに並べられ、背中合わせになった一組の包装箱のうち一方の包装箱の第１フラップは、他方の包装箱の第２フラップの外側に重合されるとともに、一方の該第１フラップの舌片が他方の該第２フラップの開口部に挿入されることで連結されることを特徴とする。
【００１５】
第２の簡易ベッドによれば、２つの包装箱を、第１側板を背中合わせに順次並べたうえで、背中合わせになった包装箱のうち一方の包装箱の第１フラップを、他方の包装箱の第２フラップの外側に重合させて、その舌片を該第２フラップの開口部に挿入することで、包装箱を縦又は横方向一列に連結していくことができる。
【００１６】
そして、両端の包装箱の各第１フラップの舌片をその包装箱の第２フラップの開口部に挿入して係止することで、上部開口を閉塞することができる。
【００１７】
よって、本考案の簡易ベッドによれば、従来の簡易ベッドと同等のメリットを持ちつつ、各フラップを折り曲げて差し込むだけで連結させることができるため、組立作業を容易にすることができる。
【００１８】
また、本考案の第３の簡易ベッドは、底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、前記包装箱の内部には、隣接する包装箱の背中合わせになった一対の前記フラップを、隣接する一方の包装箱における該フラップに連設された側板の内表面に折り重ねた状態で固定する固定部材が取り付けられ、前記包装箱の上面には、複数の包装箱に亘って載置される平板状の上板が載置されていることを特徴とする。
【００１９】
第３の簡易ベッドでは、隣接する包装箱において背中合わせになった一組のフラップを一方の包装箱の内方に折り曲げられた状態で固定部材によって固定することができるので、隣接する包装箱が所定の位置から誤って移動されることを防止することができる。また、第３の簡易ベッドでは、前記包装箱の上面には、複数の包装箱に亘って載置される平板状の上板が載置されているため、上方からの荷重を側板とともに支えることができる。
【００２０】
よって、本考案の簡易ベッドによれば、従来の簡易ベッドと同等のメリットを持ちつつ、各フラップを折り曲げるだけで連結させることができるため、組立作業を容易にすることができる。
【００２１】
また、本考案の第４の簡易ベッドは、底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、前記包装箱の内部には、隣接する包装箱の背中合わせになった一対の前記フラップを、隣接する一方の包装箱における該フラップに連設された側板の内表面に折り重ねた状態で固定する固定部材が取り付けられ、前記固定部材は、側板の内表面に折り重ねた前記一対のフラップ以外のフラップが各包装箱の内方に向かって水平方向に折り曲げられた状態で、該フラップの下面を支持する高さを有することを特徴とする。
【００２２】
第３の簡易ベッドにおける固定部材がこの高さ寸法であれば、第３の簡易ベッドよりも耐荷重性を向上させ、あるいは、上板を省略することで部品点数を削減することもできる。
【図面の簡単な説明】
【００２３】
【図１】本考案の第１実施形態に係る簡易ベッドの斜視図
【図２】本考案の第１実施形態に係る包装箱の板紙
【図３】本考案の第１実施形態に係る包装箱を連結する工程を説明するための平面図であって、図３Ａは、天部第１フラップを折り曲げる工程を説明する説明図、図３Ｂは、天部第１フラップを補強板で固定した状態を説明する説明図、図３Ｃは、両延出部を掛け渡して天部を閉塞した状態を説明する説明図。
【図４】本考案の第２実施形態に係る包装箱の板紙
【図５】本考案の第２実施形態に係る包装箱を連結する工程を説明するための平面図であって、図３Ａは、天部第１フラップを折り曲げる工程を説明する説明図、図３Ｂは、天部第２フラップを折り曲げた状態を説明する説明図、図３Ｃは、天部第１フラップを開口部に差し込んだ状態を説明する説明図。
【考案を実施するための形態】
【００２４】
［第１実施形態］
第１実施形態の簡易ベッド１は、縦方向に６個、横方向に３個ずつ整列された合計１８個の包装箱１０と、この上に載せられた上板１００と、包装箱１０及び上板１００の周囲を平面視コの字状に囲む２枚の周壁板２００とからなる。
【００２５】
第１実施形態の包装箱１０は、四角筒状の胴部２０と、胴部２０の下部開口を閉塞する底部３０と、胴部２０の上部開口を閉塞する天部４０とからなる。
【００２６】
包装箱１０は、図２に示す大略矩形状に打抜かれた段ボール板紙１１によって形成されている。段ボール板紙１１は、一対の第１側板２１と、一対の第２側板２２とがそれぞれ折目線ａを介して交互に連設されている。右側端に位置する第２側板２２の右側縁には、折目線ｂを介して接着片２３が連設されている。
【００２７】
各第１側板２１の下縁には折目線ｃを介して底部第１フラップ３１が連設されている。また、各第２側板２２の下縁には折目線ｄを介して底部第２フラップ３２が連設されている。
【００２８】
各第１側板２１の上縁には折目線ｅを介して天部第１フラップ４１が連設されている。各第２側板２２の上縁には折目線ｆを介して天部第２フラップ４２が連設されている。
【００２９】
天部第１フラップ４１及び天部第２フラップ４２には、先端縁から延出部４３ａ，４３ｂが連設されている。
【００３０】
延出部４３ａ，４３ｂは、各天部第１フラップ４１の左側、各天部第２フラップ４２の右側に設けられることで、組み立てられたとき互い違いに配置される。
【００３１】
延出部４３ａ，４３ｂは、その基端部において、天部第１フラップ４１及び天部第２フラップ４２の先端縁の半分の長さに形成されている。また、延出部４３ａ，４３ｂの各天部フラップの左右方向中央側の一方側縁には、基端から先端に向かうにつれて他方側縁から離れる方向に幅広になる係止部４４ａ，４４ｂが形成されている。
【００３２】
以上の延出部４３が形成されたことで、第１側板２１の横幅の半分の長さに対して、天部第２フラップ４２の高さ（図２の縦方向の長さ）は、延出部４３ｂが形成されている側の先端部において大であり、延出部４３ｂが形成されいない側の先端部において同程度である。同様に、第２側板２２の横幅の半分の長さに対して、天部第１フラップ４１の高さ（図２の縦方向の長さ）は、延出部４３ａが形成されている側の先端部において大であり、延出部４３ａが形成されいない側の先端部において同程度である。
【００３３】
次いで、簡易ベッド１の組立て工程について説明する。
【００３４】
まず、前記接着片２３を図示しない接着剤を介して反対側の側端に位置する第１側板２１の側縁部に接着することにより、四角筒状の胴部２０が形成される。
【００３５】
次に、両底部第１フラップ３１を折目線ｃを介して水平に折り曲げ、その先端縁同士を互いに当接させる。そして、両底部第２フラップ３２を折目線ｄを介して水平に折り曲げ、図示しない接着剤を介して底部第１フラップ３１の外側に重合させる。これにより、胴部２０の下部開口が底部３０により閉塞される。
【００３６】
次いで、図３Ａに示すように、第２側板２２が同一平面上に配置されるように、つまり、第１側板２１が順次背中合わせになるように並べる。
【００３７】
次に、図３Ａに示すように、背中合わせになった２組の天部第１フラップ４１，４１を、それぞれ右側の包装箱１０の内部に曲げ入れる。
【００３８】
そして、図３Ｂに示すように、各組の天部第１フラップ４１，４１を曲げ入れた状態で押さえつけるように、補強板５０（本発明の「固定部材」に相当する。）を高さ方向に沿って片筋交いに差し込む。
【００３９】
次に、図３Ｃに示すように、両端の天部第１フラップ４１を各包装箱１０の内方に向かって水平方向に折り曲げ、さらに、天部第２フラップ４２を各包装箱１０の内方に向かって水平方向に折り曲げ、天部第１フラップ４１の外側に重合させる。
【００４０】
このとき、天部第２フラップ４２の延出部４３ｂは、互いに対向する天部第２フラップの延出部４３ｂが設けられていない側の先端部に掛け渡される。これにより、対向する天部第２フラップ４２は互いに支え合うこととなる。
【００４１】
このとき、対向する延出部４３ｂは、一方側縁の基端部において互いに突き合わされるとともに、先端側が係止部４４ｂによって幅広になっているため、互いの係止部４４ｂにより掛止され抜け止めされる。
【００４２】
以上により、例えば、３つの包装箱１０が連結される。
【００４３】
次いで、３つずつ横に連結された包装箱１０を縦に６列並べ、包装箱１０の天部４０の上に上板１００を載置し、その周囲を折り曲げられた２枚の周壁板２００でコの字状に囲むことで、第１実施形態の簡易ベッド１が完成する。
【００４４】
以上説明した第１実施形態の簡易ベッド１によれば、天部第１フラップ４１が隣接した右側の包装箱１０の内部に曲げ入れた状態で上部開口が閉塞されて連結されるので、並べられた所定の位置から誤って移動されることを防止することができる。特に、曲げ入れられた天部第１フラップ４１は、隣接した包装箱１０の内部において片筋交いに差し込まれた補強板５０によって係止されるため、より強固に連結することができる。
【００４５】
また、対向する天部第２フラップ４２，４２は、先端部に設けられた延出部４３ｂが互いに掛け渡されることで相互に支え合うため、上方からの荷重に対抗できる。特に、対向する延出部４３ｂ，４３ｂは、一方側縁の基端部において互いの係止部４４ｂにより掛止されることで抜け止めされるので、上からの荷重によって意図せず開口することが防止される。
【００４６】
さらに、水平方向に折り曲げられた天部第２フラップ４２，４２及び天部第１フラップ４１は、補強板５０の上端縁によって下面側が支持されるため、耐荷重性を向上する。
【００４７】
よって、第１実施形態の簡易ベッド１によれば、従来の簡易ベッドと同等のメリットを持ちつつ、各フラップを折り曲げるだけで連結させることができるため、組立作業を容易にすることができる。
【００４８】
［第２実施形態］
第２実施形態の簡易ベッド１は、縦方向に６個、横方向に２個ずつ整列された合計１２個の包装箱６０と、この上に載せられた上板１００と、包装箱１０及び上板１００の周囲を平面視コの字状に囲む２枚の周壁板２００とからなる（図示せず）。
【００４９】
第２実施形態の包装箱６０は、四角筒状の胴部７０と、胴部７０の下部開口を閉塞する底部８０と、胴部７０の上部開口を閉塞する天部９０とからなる（図示せず）。
【００５０】
包装箱６０は、図２に示す大略矩形状に打抜かれた段ボール板紙６１によって形成されている。段ボール板紙６１は、一対の第１側板７１と、一対の第２側板７２とがそれぞれ折目線ａを介して交互に連設されている。右側端に位置する第２側板７２の右側縁には、折目線ｂを介して接着片７３が連設されている。
【００５１】
各第１側板７１の下縁には折目線ｃを介して底部第１フラップ８１が連設されている。また、各第２側板７２の下縁には折目線ｄを介して底部第２フラップ８２ａ，８２ｂが連設されている。底部第２フラップ８２ａは、概略矩形状であり、先端部中央に凹み部８３を有する。底部第２フラップ８２ｂは、概略台形状であり、先端部に矩形状の凸部８４を有する。凸部８４は、凹み部８３に挿入可能なように、凹み部８３の横幅以下に設計されている。
【００５２】
各第１側板７１の上縁には折目線ｅを介して天部第１フラップ９１が連設されている。各第２側板２２の上縁には折目線ｆを介して天部第２フラップ４２が連設されている。
【００５３】
天部第１フラップ９１の先端部には、一対の舌片９３が形成されている。両舌片９３の間には押え片９４が形成されている。両舌片９３と押え片９４とは天部第１フラップ９１の先端部に切れ目を設けることによって形成されている。
【００５４】
天部第１フラップ９１には、基端縁に平行な折目線ｇが両側縁を結ぶように形成されている。
【００５５】
天部第２フラップ９２には、舌片９３を挿入自在とする挿入切込９５と、天部第２フラップ９２の基端縁と直交する方向に延びて挿入切込９５の両端を結ぶ折目線ｈとが形成されている。挿入切込９５は大略コ字形に切り込まれており、これによって、天部第２フラップ９２に開口部（図示せず）を形成させる揺動片９６が形成される。
【００５６】
次いで、簡易ベッド１の組立て工程について説明する。
【００５７】
まず、前記接着片７３を図示しない接着剤を介して反対側の側端に位置する第１側板７１の側縁部に接着することにより、四角筒状の胴部７０が形成される。
【００５８】
次に、底部第２フラップ８２ａを折目線ｄを介して胴部７０の内方に向かって水平に折り曲げ、両底部第１フラップ８１を折目線ｃを介して水平に折り曲げて底部第２フラップ８２ａの外側に重合させる。
【００５９】
さらに、底部第２フラップ８２ｂを折目線ｄを介して水平に折り曲げて底部第１フラップ８１の外側に重合させるとともに、底部第２フラップ８２ｂの先端に設けられた凸部８４を底部第２フラップ８２ａの凹み部８３に差し込む。これにより、胴部７０の下部開口が底部８０により閉塞される。
【００６０】
次いで、図５Ａに示すように、第２側板７２が同一平面上に配置されるように、つまり、第１側板７１が背中合わせになるように並べる。なお、図５Ａ乃至図５Ｃでは、２つの包装箱が横並びになったものが図示されているが、本考案はこれに限られず、連結する個数は何個でもよく、縦方向に並べて連結することもできる。
【００６１】
次に、背中合わせになった１組の天部第１フラップ９１，９１のうち一方（図３Ｂでは中央右側の天部第１フラップ９１）を自身が構成する包装箱６０（図３Ｂでは右側の包装箱６０）の内方に向かって水平方向に折り曲げる。
【００６２】
そして、図３Ｂに示すように、各天部第２フラップ９２を各包装箱６０の内方に向かって水平方向に折り曲げ、その先端縁同士を互いに当接させる。
【００６３】
次に、図３Ｃに示すように、両端の天部第１フラップ９１を各包装箱６０の内方に向かって水平方向に折り曲げ、天部第２フラップ９２の外側に重合させる。また、図３Ｃの中央左側の天部第１フラップ９１を右側の包装箱６０に向かって水平方向に折り曲げ、右側の包装箱６０の天部第２フラップ９２の外側に重合させる。
【００６４】
さらに、両端の天部第１フラップ９１を折目線ｇを介して山折りして各揺動片９６の先端でそれぞれに対応する揺動片９６を押し込む。これにより、揺動片９６が挿入切込９５から抜け出て折目線ｈで垂下され、天部第２フラップ９２に開口部（図示せず）が形成される。さらに、天部第１フラップ９１の前記山折りを折り戻すことで、揺動片９６が基端まで天部第２フラップ９２の内側に差し込まれる。
【００６５】
同様に、中央左側の天部第１フラップ９１を右側の包装箱６０の天部第２フラップ９２に差し込む。
【００６６】
これにより、舌片９３は、それ自身と揺動片９６の弾性復元力によって天部第２フラップ９２の内表面及び開口部の周縁に係止される。
【００６７】
以上により、２つの包装箱６０が連結される。
【００６８】
次いで、２つずつ横に連結された包装箱６０を縦に６列並べ、包装箱６０の天部９０の上に上板１００を載置し、その周囲を折り曲げられた２枚の周壁板２００でコの字状に囲むことで、第２実施形態の簡易ベッド１が完成する。
【００６９】
以上説明した第２実施形態の簡易ベッド１によれば、天部第１フラップ９１が隣接した右側の包装箱６０の天部第２フラップ９２に差し込まれて連結されるので、並べられた所定の位置から誤って移動されることを防止することができる。
【００７０】
また、対向する天部第２フラップ４２，４２は、天部第１フラップ９１の先端部に設けられた舌片９３が差し込まれて係止されるため、上方からの荷重に対抗できる。
【００７１】
よって、第２実施形態の簡易ベッド１によれば、従来の簡易ベッドと同等のメリットを持ちつつ、各フラップを折り曲げるだけで連結させることができるため、組立作業を容易にすることができる。
【００７２】
〔変形例〕
第１実施形態の簡易ベッド１は、縦方向に６個、横方向に３個ずつ整列された合計１８個の包装箱１０を用いたものを例に、第２実施形態の簡易ベッド１は、縦方向に６個、横方向に２個ずつ整列された合計１２個の包装箱６０を用いたものを例にそれぞれ説明したが、「縦２×横２」以上であれば個数に限定はない。
【００７３】
上板１００は、図１においては、１枚として図示されているが複数枚重ねてもよい。また、図１の手前方向に縦方向に延びる周壁板２００を１枚増やし、さらにプライバシーを確保することもできる。
【００７４】
また、上板１００と、周壁板２００とは同じサイズであり両用可能である。そのため、４枚以上準備しておき、周壁板２００として用いなかった板を上板１００として重ねて弾力性を確保することもできる。
【００７５】
なお、第１実施形態では、１８個の包装箱の上面全てを一枚で覆う上板１００を例示したが、複数枚の上板によって、例えば「縦３×横３」の合計９個ずつを２枚の上板でそれぞれ覆うこともできる。逆に、上板は省略することもできる。
【００７６】
第１実施形態では、縦横どちらの方向にも連結できるように天部第１フラップ４１の先端縁にも延出部４３ａを設けた例を説明したが、天部第１フラップには延出部を省略することもできる。
【００７７】
さらに、第１実施形態では、本考案の第１の簡易ベッドの実施形態を説明するとともに、本考案の第３の簡易ベッドの内容も含めて説明したため、天部第１フラップ及び天部第２フラップに延出部を設けた例を説明したが、本考案の第３の簡易ベッドとしては上板を載置すれば足りるため、延出部は、天部第１フラップ及び天部第２フラップのいずれにも設けなくてもよい。
【００７８】
また、第１実施形態では、閉じた状態で胴部２０の軸線を中心として、対向する天部第２フラップ４２を点対称の形状にした例を説明したが、例えば、一方の天部第２フラップの先端部を左右端に延出部を有する凹状にし、他方の天部第２フラップの先端部を中央部に延出部を有する凸状にし、互い違いに掛け渡すこともできる。
【００７９】
また、第１実施形態では、延出部４３ｂが一方側縁の基端部において互いに突き合わされるように、延出部４３ｂの基端部の横幅を天部第２フラップ４２の先端縁の半分の長さに形成したが、両延出部４３ｂは、天部第２フラップ４２において互い違いに対向できれば足りるため、横幅はこれに限られない。
【００８０】
また、第１実施形態では、次第に幅広になる係止部４４ｂを例に説明したが、係止部はこれに限られず、鍵状であってもよく、省略してもよい。
【００８１】
さらに、第１実施形態では、延出部４３ａ，４３ｂを除けば、天部第２フラップ４２の高さ（図２の縦方向の長さ）は、第１側板２１の横幅の半分と同程度、天部第１フラップ４１の高さ（図２の縦方向の長さ）は、第２側板２２の横幅の半分と同程度の長さに形成されているが、本考案はこれに限られず、各側縁の半分以上の長さにしつつ、互いに切込みを入れて互い違いに差し込んでもよい。
【００８２】
第１実施形態では、１枚の補強板５０を高さ方向に沿って片筋交いに差し込んだが、２枚の補強板に互いに切れ込みを入れて互いに差し込み、襷掛けにしてもよく、補強板５０を省略してもよい。
【００８３】
また、第１実施形態では、補強板５０は、水平方向に折り曲げられた天部第２フラップ及び天部第１フラップを支持できるよう包装箱の内寸の高さと同程度になっているがそれ以下の高さにすることもできる。
【００８４】
また、本考案では、補強板に換えて、円筒・円柱形状または角筒・角柱形状の固定部材にしてもよい。この場合、固定部材は、包装箱の内部に曲げ入れられた一対の天部第１フラップ４１，４１が段ボールの弾性変形によって水平方向まで復元することを阻害できる幅及び高さのサイズに設計すればよい。
【００８５】
第１実施形態では、図３Ａ乃至図３Ｃにおいて、３つの包装箱が横並びになったものが図示されているが、本考案はこれに限られず、連結する個数は何個でもよく、縦方向に並べて連結することもできる。
【００８６】
第２実施形態では、底部第２フラップ８２ａに凹み部８３を設け、底部第２フラップ８２ｂに凸部８４を設け、差し込んで組み立てられるように形成されているが、本考案はこれに限られず、第１実施形態のように通常の内フラップ及び外フラップとして形成することもできる。
【００８７】
第２実施形態では、天部第１フラップ９１の先端部に一対の舌片９３と押え片９４とが形成された例を説明したが、本考案はこれに限られず、舌片は１個以上であればよい。
【００８８】
第２実施形態では、挿入切込９５とその両端を結ぶ折目線ｈとにより揺動片９６が構成され、この揺動片９６を押し込むことにより開口部が形成されるものを例に説明したが、本考案はこれに限れず、単に舌片を差し込む差込孔として開口部を設けてもよい。
【００８９】
第２実施形態では、図５Ａ乃至図５Ｃにおいて、２つの包装箱が横並びになったものが図示されているが、本考案はこれに限られず、連結する個数は何個でもよく、例えば縦方向に並べて５個連結し、それを横方向に３列準備することもできる。
【００９０】
第２実施形態では、中央右側の天部第１フラップ９１を右側の包装箱６０の天部第２フラップ９２の内側に折り曲げた例を説明したが、この天部第１フラップ９１は、中央左側の天部第１フラップ９１とともに、右側の包装箱６０の天部第２フラップ９２の外側に重合させ、その開口部に両舌片を一緒に差し込んでもよい。
【符号の説明】
【００９１】
１      簡易ベッド
１０    包装箱
２０    胴部
２１    側板（第１側板）
２２    側板（第２側板）
３０    底部
４１    フラップ（天部第１フラップ）
４２    フラップ（天部第２フラップ）
４３    延出部
４４ｂ  係止部
５０    補強板（固定部材）
６０    包装箱
７０    胴部
７１    第１側板
７２    第２側板
８０    底部
９１    第１フラップ（天部第１フラップ）
９２    第２フラップ（天部第２フラップ）
９３    舌片
ｅ，ｆ  折目線
【図１】
0003222272.tif 000003
【図２】
0003222272.tif 000004
【図３】
0003222272.tif 000005
【図４】
0003222272.tif 000006
【図５】
0003222272.tif 000007
【手続補正書】
【提出日】令和1年5月21日(2019.5.21)
【手続補正１】
【補正対象書類名】実用新案登録請求の範囲
【補正対象項目名】全文
【補正方法】変更
【補正の内容】
【実用新案登録請求の範囲】
【請求項１】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の対向する少なくとも一対のフラップには、前記胴部の内方に向って水平姿勢にしたときに、対向するフラップの外表面まで延びる延出部がそれぞれ設けられ、
隣接する包装箱は、前記延出部が設けられているフラップの基端縁同士が直線状に並ぶように配置されることを特徴とする簡易ベッド。
【請求項２】
請求項１に記載の簡易ベッドにおいて、
前記延出部は、基端側の一方側縁が互いに突き合わされる位置に形成されるとともに、先端側に向かうにつれて前記一方側縁が他方側縁から離れる方向に幅広となる係止部を有していることを特徴とする簡易ベッド。
【請求項３】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記胴部は、互いに対向する一対の第１側板と、該第１側板が対向する方向と交わる方向で互いに対向する一対の第２側板とによって形成され、
前記フラップは、前記第１側板の上縁に沿って折目線を介して連設された一対の第１フラップと、前記第２側板の上縁に沿って折目線を介して連設され前記胴部の内方に向って水平姿勢となるように折り曲げられた一対の第２フラップからなり、
各第１フラップには、その先端部に舌片が設けられ、
各第２フラップには、前記舌片を挿入してその周縁で係止する開口部が設けられ、
前記包装箱は、第１側板が順次背中合わせに並べられ、背中合わせになった一組の包装箱のうち一方の包装箱の第１フラップは、他方の包装箱の第２フラップの外側に重合されるとともに、一方の該第１フラップの舌片が他方の該第２フラップの開口部に挿入されることで連結されることを特徴とする簡易ベッド。
【請求項４】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の内部には、隣接する包装箱の背中合わせになった一対の前記フラップを、隣接する一方の包装箱における該フラップに連設された側板の内表面に折り重ねた状態で固定する固定部材が取り付けられ、
前記包装箱の上面には、複数の包装箱に亘って載置される平板状の上板が載置されていることを特徴とする簡易ベッド。
【請求項５】
底部が閉塞された四角筒状の胴部と、前記胴部を構成する各側板の上端縁に折目線を介してそれぞれ連設されたフラップとを備える紙製の包装箱を縦横にそれぞれ複数並べた簡易ベッドであって、
前記包装箱の内部には、隣接する包装箱の背中合わせになった一対の前記フラップを、隣接する一方の包装箱における該フラップに連設された側板の内表面に折り重ねた状態で固定する固定部材が取り付けられ、
前記固定部材は、側板の内表面に折り重ねた前記一対のフラップ以外のフラップが各包装箱の内方に向かって水平方向に折り曲げられた状態で、該フラップの下面を支持する高さを有することを特徴とする簡易ベッド。
【手続補正２】
【補正対象書類名】明細書
【補正対象項目名】００１２
【補正方法】変更
【補正の内容】
【００１２】
本考案の第１の簡易ベッドにおいて、前記延出部は、基端側の一方側縁が互いに突き合わされる位置に形成されるとともに、先端側に向かうにつれて前記一方側縁が他方側縁から離れる方向に幅広となる係止部を有していることが好ましい。